(57)【要約】【課題】ボールなどの飛来物や対人、対物衝突による衝撃をより効果的に吸収、緩和し、眼をより完全に保護することができ、衝突時の変形（ねじれ）を抑制し、着用者の顔からのズレを防止することができる保護眼鏡を提供する。【解決手段】硬質の前フレーム１と軟質の後フレーム２を一体化させてなるものとしており、後フレーム２の周囲を着用者の顔面に密着するようにしており、後フレーム２を前フレーム１の両端から延設させ弾性変形部５とし、弾性変形部５は、縦抜孔Ｈａを介して前側変形部９と後側変形部１０に分離させたものとし、さらに後側変形部１０は、横抜孔Ｈｂを介して上杆部１０ａと下杆部１０ｂに分離させたものとしている。【選択図】図１
2018054994.tif 000002
【特許請求の範囲】
【請求項１】
硬質の前フレーム（１）と軟質の後フレーム（２）を一体化させてなるものとしており、後フレーム（２）の周囲を着用者の顔面に密着するようにしており、後フレーム（２）を前フレーム（１）の両端から延設させ弾性変形部（５）とし、弾性変形部（５）は、縦抜孔（Ｈａ）を介して前側変形部（９）と後側変形部（１０）に分離させたものとし、さらに後側変形部（１０）は、横抜孔（Ｈｂ）を介して上杆部（１０ａ）と下杆部（１０ｂ）に分離させたものとしたことを特徴とする保護眼鏡。
【請求項２】
前フレーム（１）にはレンズ（３）を備えたものとし、後フレーム（２）にはヘッドバンド（４）を備えたものとし、弾性変形部（５）の前側端にヘッドバンド取付部（６）を突設させると共に、弾性変形部（５）の後側端にテンプル接触部（７）を延設させたものとしたことを特徴とする請求項１記載の保護眼鏡。
【請求項３】
前フレーム（１）のショア硬度を９０以上にし、後フレーム（２）のショア硬度を３０〜６０にしたことを特徴とする請求項１または２記載の保護眼鏡。
【請求項４】
前フレーム（１）の上辺部（１ａ）および下辺部（１ｂ）にレンズ（３）の内方に通ずる通気孔（Ｖ）が設けられ、弾性変形部（５）の縦抜孔（Ｈａ）および横抜孔（Ｈｂ）がレンズ（３）の内方に通ずるようにしたことを特徴とする請求項２または３記載の保護眼鏡。
【請求項５】
後フレーム（２）の上辺部（２ａ）中央に水溜め部（８）が形成され、この水溜め部（８）の底にレンズ（３）の外方に通ずる排水孔（Ｄ）が形成されたことを特徴とする請求項２〜４のいずれかに記載の保護眼鏡。
【請求項６】
前側変形部（９）の縦断面（Ａ）と後側変形部（１０）の縦断面（Ｂ）の面積比を１：４〜５にし、上杆部（１０ａ）の縦断面（Ｂｕ）と下杆部（１０ｂ）の縦断面（Ｂｄ）の面積比を１：０. ８〜１. ２にしたことを特徴とする請求項１〜５のいずれかに記載の保護眼鏡。
【発明の詳細な説明】
【技術分野】
【０００１】
この発明は、ボールなどの飛来物や対人、対物衝突による衝撃を吸収、緩和し、眼を保護するための眼鏡に関するものである。
【背景技術】
【０００２】
従来から各種の球技が行われているが、特にスカッシュ、ハンドボール、テニスなどの球技においては、使用するボールが眼に当たって眼を負傷することが、他の球技に比べて多く発生している。また、スキーやスケートなどのウィンタースポーツにおいては、スキーヤどうしが衝突したり、立木やフェンスなどの障害物に衝突したりして眼を負傷することがある。
【０００３】
そのため、このような球技やウィンタースポーツから眼を保護する眼鏡として、図１０、１１に示したような、レンズ１１を備えた左右のリム１２と、両リム１２を連結するブリッジ１３及び両リム１２の外端から後方に延びるテンプル１４が一体的に成形された本体１５と、伸縮性のある弾性バンド１６と、前記本体１５の各テンプル１４後端と前記バンド１６の両端を連結する接続部材１７と、鼻当パッド１８及びクッションパッド１９とから構成されているものが存在する（特許文献１）。
【０００４】
前記スポーツ用眼鏡は、装着者の頭部、顔面へのフィット性が良く、衝撃等の吸収、緩和が確実かつ十分で傷害を防ぐことができるとしている。
【先行技術文献】
【特許文献】
【０００５】
【特許文献１】特開平６ー１６０７８０号公報
【発明の概要】
【発明が解決しようとする課題】
【０００６】
上記特許文献１に記載されたスポーツ用眼鏡では、鼻当パッド１８が額当パッド材１８ａおよび鼻当パッド材１８ｂからなるとしているが、額当パッド材１８ａは着用者の額の一部にしか接触していないので、衝撃の吸収、緩和が未だ不充分であるという課題を有していた。
【０００７】
また、上記スポーツ用眼鏡では、額当パッド材１８ａが着用者の額の一部にしか接触していないので、球技やウィンタースポーツのプレイ中などに、額にかいた汗が、額当パッド材１８ａの接触していない額から流れ落ちて眼に入ってしまい、スポーツの妨げになるなどの課題を有していた。
【０００８】
さらに、上記スポーツ用眼鏡では、リム１２およびテンプル１４が硬質の材料で作製されているため、曲げ幅が小さく、着用者の顔幅のサイズの違いに対応しきれない場合があるという課題を有していた。
【０００９】
そこで、この発明は、ボールなどの飛来物や対人、対物衝突による衝撃をより効果的に吸収、緩和し、眼をより完全に保護することができ、衝突時の変形（ねじれ）を抑制し、着用者の顔からのズレを防止することができる保護眼鏡を提供することを目的としてなされたものである。
【００１０】
さらに、この発明は、着用者の顔幅のサイズの違いに対応し易く、スポーツなどの最中に額から流れ落ちる汗や、雨天時などの着用によって額から流れ落ちる雨水等が眼に入るのを防ぎ、しかも通気性を良くしてレンズの曇りを少なくすることのできる保護眼鏡を提供することを目的としてなされたものである。
【課題を解決するための手段】
【００１１】
この発明の保護眼鏡は、硬質の前フレーム１と軟質の後フレーム２を一体化させてなるものとしており、後フレーム２の周囲を着用者の顔面に密着するようにしており、後フレーム２を前フレーム１の両端から延設させ弾性変形部５とし、弾性変形部５は、縦抜孔Ｈａを介して前側変形部９と後側変形部１０に分離させたものとし、さらに後側変形部１０は、横抜孔Ｈｂを介して上杆部１０ａと下杆部１０ｂに分離させたものとしている。
【００１２】
この発明の保護眼鏡において、前フレーム１にはレンズ３を備えたものとし、後フレーム２にはヘッドバンド４を備えたものとし、弾性変形部５の前側端にヘッドバンド取付部６を突設させると共に、弾性変形部５の後側端にテンプル接触部７を延設させたものとしている。
【００１３】
この発明の保護眼鏡において、前フレーム１のショア硬度を９０以上にし、後フレーム２のショア硬度を３０〜６０にしている。
【００１４】
この発明の保護眼鏡において、前フレーム１の上辺部１ａおよび下辺部１ｂにレンズ３の内方に通ずる通気孔Ｖが設けられ、弾性変形部５の縦抜孔Ｈａおよび横抜孔Ｈｂがレンズ３の内方に通ずるようにしている。
【００１５】
この発明の保護眼鏡において、後フレーム２の上辺部２ａ中央には、水溜め部８が形成され、この水溜め部８の底には、レンズ３の外方に通ずる排水孔Ｄが形成されている。
【００１６】
この発明の保護眼鏡において、前側変形部９の縦断面Ａと後側変形部１０の縦断面Ｂの面積比を１：４〜５にし、上杆部１０ａの縦断面Ｂｕと下杆部１０ｂの縦断面Ｂｄの面積比を１：０. ８〜１. ２にしている。
【発明の効果】
【００１７】
この発明の保護眼鏡は、以上に述べたように構成されているので、ボールなどの飛来物や対人、対物衝突による衝撃をより効果的に吸収、緩和し、眼をより完全に保護することができるものとなる。
【００１８】
さらに、この発明の保護眼鏡は、衝突時の変形（ねじれ）を抑制し、着用者の顔からのズレを防止することができるものとなる。
【００１９】
また、この発明の保護眼鏡は、着用者の顔幅のサイズの違いに対応し易くなり、スポーツなどの最中に額から流れ落ちる汗や、雨天時などの着用によって額から流れ落ちる雨水等が眼に入るのを防ぐことができるものとなる。
【００２０】
しかも、この発明の保護眼鏡は、通気性を良くしてレンズの曇りを少なくすることができるものとなる。
【図面の簡単な説明】
【００２１】
【図１】この発明の保護眼鏡の実施形態を示す斜視図である。
【図２】図１に示すこの発明の保護眼鏡の正面図である。
【図３】図１に示すこの発明の保護眼鏡の平面図である。
【図４】図１に示すこの発明の保護眼鏡の底面図である。
【図５】図２中のＡ−Ａによるこの発明の保護眼鏡の断面図である。
【図６】図３中のＢ−Ｂによるこの発明の保護眼鏡の断面図である。
【図７】図３中のＣ−Ｃによるこの発明の保護眼鏡の断面図である。
【図８】図３中のＤ−Ｄによるこの発明の保護眼鏡の断面図である。
【図９】図３中のＤ−Ｄによるこの発明の保護眼鏡のフレームの断面斜視図である。
【図１０】従来のスポーツ用眼鏡の正面図である。
【図１１】図１０に示す従来のスポーツ用眼鏡の平面図である。
【発明を実施するための形態】
【００２２】
以下、この発明の保護眼鏡を実施するための形態について、図面に基づき詳細に説明する。
【００２３】
この発明の保護眼鏡は、図１〜５に示したように、硬質の前フレーム１と軟質の後フレーム２を一体化させてなるものとしており、前フレーム１にはレンズ３を備えたものとしており、後フレーム２にはヘッドバンド４を備えたものとし、この後フレーム２の周囲を着用者の顔面に密着するようにしている。図示したものは、両者を別体として作成し、嵌合して一体化させたものとしているが、融着したり接着して一体化させたものとしてもよい。また、硬質合成樹脂と軟質合成樹脂の二重射出により同時成形して一体化させたものとしてもよい。
【００２４】
前フレーム１は、硬質の合成樹脂等からなるものとしており、レンズ３の周囲を包囲してこのレンズ３を密着保持するものとしている。この前フレーム１の上辺部１ａおよび下辺部１ｂには、レンズ３の内方に通ずる通気孔Ｖが設けられている。このような通気孔Ｖを設けるには、図示したように、通気孔Ｖを設ける部分の前フレーム１を分厚くすることにより、通気孔Ｖを設け易くしている。なお、この発明において、硬質とは後フレーム２の軟質と比べて相対的に硬質であればよいが、前フレーム１のショア硬度を９０以上にするのが、強度面において好ましい。
【００２５】
後フレーム２は、軟質の合成樹脂等からなるものとしており、その接触面を着用者の額や眼の周辺、鼻背等に沿うような形状として、着用者の顔面に密着し易いものとしている。そして、この後フレーム２を前フレーム１の両端から延設させ弾性変形部５とし、この弾性変形部５の前側端にヘッドバンド取付部６を突設させると共に、弾性変形部５の後側端にテンプル接触部７を延設させたものとしている。さらに、後フレーム２の上辺部２ａ中央には、水溜め部８が形成されており、この水溜め部８の底には、レンズ３の外方に通ずる排水孔Ｄが形成されている。なお、この発明において、軟質とはショア硬度が６０以下のものをいい、この発明では、後フレーム２のショア硬度を３０〜６０にすることができるが、４５〜５５にするのが好ましい。このようなショア硬度にすることにより、後フレーム２が着用者の顔面に非常に密着し易いものとなる。
【００２６】
レンズ３は、硬質のガラスや合成樹脂からなるものとしており、図示したものは二眼レンズとしているが、一眼レンズとして実施することもできる。なお、この発明において、レンズ３は、備えたものとするのが望ましいが、備えたものとしなくても実施することができる。
【００２７】
ヘッドバンド４は、ゴムや合成樹脂等の弾性部材からなるものとしており、後フレーム２両端のヘッドバンド取付部６に長さ調節自在として取り付けられることにより、このヘッドバンド４を締めつけたり緩めたりして、着用者の頭回りにフィットするようにしている。
【００２８】
弾性変形部５は、図８、９に示したように、縦抜孔Ｈａを介して前側変形部９と後側変形部１０に分離させたものとし、さらに前側変形部９は厚板状とし、後側変形部１０は、横抜孔Ｈｂを介して上杆部１０ａと下杆部１０ｂに分離させたものとしている。そして、弾性変形部５の縦抜孔Ｈａおよび横抜孔Ｈｂは、レンズ３の内方に通ずるようにしている。さらに、図８に示したように、前側変形部９の縦断面Ａと後側変形部１０の縦断面Ｂの面積比を１：４〜５にしており、上杆部１０ａの縦断面Ｂｕと下杆部１０ｂの縦断面Ｂｄの面積比を１：０. ８〜１. ２にしている。このような面積比にすることにより、弾性変形部５の前後方向と上下方向の変形度のバランスがとれるので、衝突時の保護眼鏡の変形（ねじれ）がより効果的に抑制されるものとなる。
【００２９】
ヘッドバンド取付部６は、硬質の合成樹脂等からなるものとしており、図５に示したように、外側から内側にかけて二個の縦長スリット孔６ａ、６ｂを形成したものとしている。そして、このヘッドバンド取付部６にヘッドバンド４を取り付けるには、内側の縦長スリット孔６ｂの裏側から表側にヘッドバンド４の一端部を通し、外側の縦長スリット孔６ａの表側から裏側に、このヘッドバンド４の一端部を通して、ヘッドバンド取付部６の外側に突き出させたものとしている。なお、ヘッドバンド取付部６は、ヘッドバンド４が長さ調節自在として取り付けられるものであればよく、特にその構造が限定されることはない。
【００３０】
テンプル接触部７は、後フレーム２と同じ軟質の合成樹脂等からなるものとしており、略べろ状に形成されており、表側には幅方向に多数のリブ７ａを形成して外側方向に曲がり易くしており、裏側は平滑面として着用者のテンプルに密着し易くしている。
【００３１】
さらに、ヘッドバンド取付部６とテンプル接触部７は、図５に示したように、保護眼鏡の正面との傾斜角α、βをいずれも９０〜１００度とすると共に、両傾斜角α、βをほぼ等しいものとすることにより、ヘッドバンド取付部６とテンプル接触部７をほぼ平行に配置したものとしている。このようにすると、ヘッドバンド４の締め付けによってヘッドバンド取付部６の傾斜角αがこの角度より小さくなるので、テンプル接触部７の傾斜角βもこの角度より小さくなろうとする方向に力が作用し、テンプル接触部７が着用者のテンプルにより強く密着するようになる。
【００３２】
このように構成されたこの発明の保護眼鏡を着用すると、軟質の後フレーム２全体が着用者の顔面に密着するので、球技やウィンタースポーツのプレイ中などに、ボールなどの飛来物や対人、対物衝突による衝撃をうけたとしても、その衝撃をより効果的に吸収、緩和し、眼をより完全に保護することができる。なお、図示した実施品は、American Society for Testing Materials. (ASTM International : 米国材料試験協会) で制定した規格における ASTM F803-11 のスカッシュボールによる高速衝撃試験に合格している。
【００３３】
さらに、この発明の保護眼鏡は、前記衝撃により後フレーム２の弾性変形部５が、後方向と上下方向にバランスよく変形するので、衝撃をうけたときの変形（ねじれ）がより効果的に抑制されるので、着用者の顔からのズレを防止することができる。
【００３４】
また、この発明の保護眼鏡を着用すると、後フレーム２の弾性変形部５が着用者の顔幅のサイズに変形して、その着用者の顔幅に適用することができる。
【００３５】
さらに、この発明の保護眼鏡は、後フレーム２の上辺部２ａ中央には、レンズ３の外方に通ずる排水孔Ｄが形成された水溜め部８が形成されているので、スポーツなどのプレイ中に額から流れ落ちる汗や、雨天時などの着用によって額から流れ落ちる雨水等が、この水溜め部８に溜まって排水孔Ｄから排出されるので、着用者の眼に入るのを防ぐことができる。
【００３６】
しかも、この発明の保護眼鏡は、前フレーム１の上辺部１ａおよび下辺部１ｂにレンズ３の内方に通ずる通気孔Ｖが設けられ、弾性変形部５の縦抜孔Ｈａおよび横抜孔Ｈｂがレンズ３の内方に通ずるようにしているので、通気性が良くなり、レンズ３の曇りを少なくすることができる。
【符号の説明】
【００３７】
１  前フレーム
１ａ  上辺部
１ｂ  下辺部
２  後フレーム
２ａ  上辺部
３  レンズ
４  ヘッドバンド
５  弾性変形部
６  ヘッドバンド取付部
７  テンプル接触部
８  水溜め部
９  前側変形部
１０  後側変形部
１０ａ  上杆部
１０ｂ  下杆部
Ａ  縦断面
Ｂ  縦断面
Ｂｕ  縦断面
Ｂｄ  縦断面
Ｄ  排水孔
Ｈａ  縦抜孔
Ｈｂ  横抜孔
Ｖ  通気孔
【図１】
2018054994.tif 000003
【図２】
2018054994.tif 000004
【図３】
2018054994.tif 000005
【図４】
2018054994.tif 000006
【図５】
2018054994.tif 000007
【図６】
2018054994.tif 000008
【図７】
2018054994.tif 000009
【図８】
2018054994.tif 000010
【図９】
2018054994.tif 000011
【図１０】
2018054994.tif 000012
【図１１】
2018054994.tif 000013